(57)【要約】【課題】雨戸と窓との間の空間にこもった熱を屋外に排出できる雨戸を提供する。【解決手段】雨戸１は、雨戸板１１と、上記雨戸板１１を支持する枠部１２と、上記枠部１２に形成され、上記雨戸板１１の裏側と窓２の表側との間の空間に連通する開口部１ａと、上記開口部１ａを開閉する開閉板１４と、上記開閉板１４を開閉動作する操作部１５とを備える。上記操作部１５の動作片１５ｃが上側に移動すると上記開閉板１４は閉方向に回動し、下側に移動すると上記開閉板１４は開方向に回動する。【選択図】図１
2013163949.tif 000002
【特許請求の範囲】
【請求項１】
雨戸板と、上記雨戸板の周囲側に位置する枠部と、上記雨戸板の裏側の空間に連通するように上記枠部に形成された開口部と、上記開口部を開閉する開閉板と、上記開閉板を開閉動作する操作部と、を備えたことを特徴とする雨戸。
【請求項２】
請求項１に記載の雨戸において、上記操作部は、温度に応じた作動量で動作するアクチュエータを備えており、外気温度が所定温度を超えるとその温度上昇に応じて上記開閉板の開度を大きくすることを特徴とする雨戸。
【請求項３】
請求項２に記載の雨戸において、上記開閉板を手動操作により閉状態に保持する保持機構を備えたことを特徴とする雨戸。
【請求項４】
請求項１に記載の雨戸において、上記操作部は、上記開閉板を手動操作によって開閉動作することを特徴とする雨戸。
【請求項５】
請求項１〜請求項４のいずれか１項に記載の雨戸において、上記開口部が上記枠部の側面に設けられていることを特徴とする雨戸。
【請求項６】
請求項１〜請求項５のいずれか１項に記載の雨戸において、上記開口部が上記枠部の下側位置と上側位置に形成されていることを特徴とする雨戸。
【発明の詳細な説明】
【技術分野】
【０００１】
この発明は、家屋の窓に設けられる雨戸に関する。
【背景技術】
【０００２】
近年、省エネルギーの観点から密閉性や断熱性を高めた雨戸が提供されるようになっている。また、例えば、特許文献１と特許文献２には、雨戸と窓との間に形成される空間を換気通路とし、外気を室内に取り込むようにした構造が提案されている。
【先行技術文献】
【特許文献】
【０００３】
【特許文献１】特開２００９−８４９２４号公報
【特許文献２】特開２００９−１６７７３３号公報
【発明の開示】
【発明が解決しようとする課題】
【０００４】
ところで、夏期の日中の外出時に、防犯のために上記雨戸を閉じていると、日射によって上記雨戸と窓との間の空間に熱がこもり、上記窓を通じて室内に熱が伝搬されて室内温度が上昇することになる。
【０００５】
この発明は、上記の事情に鑑み、雨戸と窓との間の空間にこもった熱を屋外に排出できる雨戸を提供することを課題とする。
【課題を解決するための手段】
【０００６】
本発明の雨戸は、上記の課題を解決するために、雨戸板と、上記雨戸板の周囲側に位置する枠部と、上記雨戸板の裏側の空間に連通するように上記枠部に形成された開口部と、上記開口部を開閉する開閉板と、上記開閉板を開閉動作する操作部と、を備えたことを特徴とする。
【０００７】
上記の構成であれば、上記開閉板が開動作して上記開口部が開かれると、上記雨戸板の裏側と窓の表側との間の空間内の高温の空気が上記開口部から外へと排出される。その一方、上記開閉板が閉動作して上記開口部が閉じられると、雨戸の密閉性が確保される。
【０００８】
上記雨戸において、上記操作部は、温度に応じた作動量で動作するアクチュエータを備えており、外気温度が所定温度を超えるとその温度上昇に応じて上記開閉板の開度を大きくするようになっていてもよい。このような構成であれば、外気温度が高くなるほど上記空間からの空気排出量を大きくできるようになる。
【０００９】
上記雨戸において、上記開閉板を手動操作により閉状態に保持する保持機構を備えていてもよい。このような構成であれば、外気温度に応じた自動的な排熱を実行しないモード選択も可能となる。
【００１０】
上記雨戸において、上記操作部は、上記開閉板を手動操作によって開閉動作するようになっていてもよい。このような構成であれば、使用者の意図で排熱と密閉を自由に選択することができる。
【００１１】
上記雨戸において、上記開口部が上記枠部の側面に設けられていてもよい。このような構成であれば、上記開口部が上記枠部の前面や上面に形成されている場合に比べて雨水の浸入が生じ難くなる。
【００１２】
上記雨戸において、上記開口部が上記枠部の下側位置と上側位置に設けられていてもよい。このような構成であれば、上側の開口部から排熱が行われるときに、下側の開口部からは外気が入り込むので、効率的に排熱が行われることになる。
【発明の効果】
【００１３】
本発明であれば、雨戸と窓との間の空間にこもった熱を屋外に排出できるという効果を奏する。
【図面の簡単な説明】
【００１４】
【図１】本発明の一実施形態に係る折れ雨戸を示した斜視図である。
【図２】図１の雨戸における開閉板の開閉動作における状態変化を示した説明図である。
【図３】図１の雨戸における開閉板の開閉動作における状態変化を示した図であって、同図（Ａ）は平面図であり、同図（Ｂ）は正面図である。
【図４】図１の雨戸における開閉板の開閉許可状態と閉保持状態を示した図であって、同図（Ａ）は平面図であり、同図（Ｂ）は正面図である。
【図５】本発明の他の実施形態に係るシャッター雨戸を示した斜視図である。
【図６】本発明の他の実施形態に係るシャッター雨戸を示した斜視図である。
【図７】本発明の他の実施形態に係る折れ雨戸を示した斜視図である。
【図８】本発明の他の実施形態に係る折れ雨戸を示した斜視図である。
【発明を実施するための最良の形態】
【００１５】
次に、本発明の実施形態に係る雨戸を添付図面に基づいて具体的に説明する。なお、本発明に係る雨戸は、下記の実施形態に示したものに限定されず、その要旨を変更しない範囲において適宜変更して実施できるものである。
【００１６】
図１は折れ雨戸における端側の雨戸１を示している。この雨戸１は、雨戸板１１と、上記雨戸板１１を支持する枠部１２と、上記枠部１２に形成され、上記雨戸板１１の裏側と窓２の表側との間の空間に連通する開口部１ａと、上記開口部１ａを開閉する開閉板１４と、上記開閉板１４を開閉動作する操作部１５とを備える。
【００１７】
上記開口部１ａは上記枠部１２の側面に設けられている。また、上記開口部１ａは上記枠部１２の下側と上側の２カ所に設けられている。
【００１８】
図２に示すように、上記操作部１５から離間した位置には、閉動作した上記開閉板１４が接触する当たり部１３が設けられており、上記操作部１５と上記当たり部１３との間に上記開口部１ａが位置している。上記開閉板１４は、その一方の縁に設けられた縦軸１４ａを中心に回動するように設けられている。そして、上記縦軸１４ａに巻きばね１４ｂが装着されており、この巻きばね１４ｂによって上記開閉板１４は上記開口部１ａを閉じる方向に付勢されている。
【００１９】
上記開閉板１４には四角形状の係合穴１４ｃが形成されている。この係合穴１４ｃは上記開口部１ａよりも下側となる位置に形成されており、上記開閉板１４による上記開口部１ａの閉鎖時において上記係合穴１４ｃに起因する非閉鎖部分が生じないようにしている。
【００２０】
上記係合穴１４ｃには上記操作部１５における動作片１５ｃが係合している。この動作片１５ｃの下面は、基端側から先端側にかけて上り傾斜した傾斜面となっている。上記係合穴１４ｃの水平下縁に上記動作片１５ｃの上記傾斜面が接触しており、この接触の位置によって上記開閉板１４の回動量が定まる。すなわち、上記動作片１５ｃが上方に移動すると上記開閉板１４は上記巻きばね１４ｂの付勢によって閉方向に回動する一方、上記動作片１５ｃが下方に移動するとこの動作片１５ｃの上記傾斜面によって上記開閉板１４が押されることになり、この開閉板１４は上記巻きばね１４ｂの付勢に抗して開方向に回動する。
【００２１】
上記操作部１５は、形状記憶合金からなる温度伸縮ばね１５ｂとバイアスばね１５ａとを直列に備えている。上記温度伸縮ばね１５ｂの上端部は上記操作部１５の筐体内において一定位置に固定されている。また、上記バイアスばね１５ａの下端部は上記筐体内において一定位置に固定されている。上記温度伸縮ばね１５ｂの下端部と上記バイアスばね１５ａの上端部は互いに連結されており、上記温度伸縮ばね１５ｂとバイアスばね１５ａの力関係の変化で上記連結箇所が上下方向に移動するようになっている。また、上記筐体表面には上下方向に不図示のガイドスリットが形成されており、上記動作片１５ｃの基端部が上記ガイドスリットを通して上記連結箇所に固定されている。
【００２２】
図３は上記開閉板１４の開閉動作における状態変化を示した図であって、同図（Ａ）は平面図であり、同図（Ｂ）は正面図である。上記操作部１５の筐体には通気窓１５ｄが形成されており、上記温度伸縮ばね１５ｂが外気温度に反応するようにしている。上記温度伸縮ばね１５ｂは、例えば、外気温度が３０℃以上であるとき、上記バイアスばね１５ａに勝って最も縮んだ状態となるように設計されており、このような温度では、上記動作片１５ｃは下方に移動し上記開閉板１４は全開する。一方、上記温度伸縮ばね１５ｂは、例えば外気温度が２０℃以下となるとき、上記バイアスばね１５ａに引っ張られて最も伸びた状態となるように設計されており、このような温度では、上記動作片１５ｃは上方に移動し上記開閉板１４は全閉する。そして、外気温度が３０℃〜２０℃の間では、当該温度に応じた作動量で上記動作片１５ｃが動作して上記開閉板１４が半開する。
【００２３】
このような構成の雨戸であれば、上記開閉板１４が開動作して上記開口部１ａが開けられると、上記雨戸板１１の裏側と窓２の表側との間の空間内の高温空気が上記開口部１ａから排出される。そして、上記開閉板１４が閉動作して上記開口部１ａが閉じられると、雨戸の密閉性が確保される。
【００２４】
そして、この実施形態では、上記操作部１５は、温度に応じた作動量で動作するアクチュエータとして温度伸縮ばね１５ｂを備えており、外気温度が所定温度を超えるとその温度上昇に応じて上記開閉板１４の開度を大きくするようになっているので、外気温度が高くなるほど上記空間からの空気排出量を大きくできるようになる。
【００２５】
また、この実施形態では、上記開口部１ａが上記枠部１２の側面に設けられているので、雨水の浸入を生じ難くできる。さらに、この実施形態では、上記開口部１ａが上記枠部１２の下側位置および上側位置の２カ所に設けられていている。このため、上記雨戸板１１の裏側と窓２の表側との間の空間内の高温の空気が上側の開口部１ａから排出されるときに、下側の開口部１ａからは外気が入り込み、効率的に排熱が行われることになる。
【００２６】
なお、雨戸板１１の裏面等に断熱材を設けて雨戸１の断熱性能を高めてもよい。さらに、雨戸１においてパッキン等を設けて一層の密閉性向上を図るようにしてもよい。このように、雨戸の断熱性や密閉性を向上させたとしても、夏期の熱のこもりは上記開口部１ａ等を設けたことで解消できることになる。
【００２７】
図４は、保持機構１６による上記開閉板１４の開閉許可状態と閉保持状態を示した図であって、同図（Ａ）は平面図であり、同図（Ｂ）は正面図である。上記保持機構１６では、例えば、上記操作部１５における上記温度伸縮ばね１５ｂとバイアスばね１５ａと動作片１５ｃとが一体化されて、上記操作部１５の筐体内で上下方向に移動可能に設けられる。上記枠部１２には、上記保持機構１６の操作摘まみ１６ａを外側に露呈させる窓部１６ｂが形成されており、上記操作摘まみ１６ａを上下方向操作すると、上記一体化部が上下方向に移動する。上記一体化部の位置保持には、例えば、ばねによって上記一体化部を上記筐体の内面または上記枠部１２の内面に押圧する構造を採用することができる。
【００２８】
上記操作摘まみ１６ａを上方に操作し、上記一体化部を上方に移動させておくと、上記動作片１５ｃが上方に移動して上記開閉板１４に対する回動規制が無くなるため、外気温度が２０℃を超えている場合であっても、上記開閉板１４が閉方向に回動して全閉状態が保持される。このように、上記開閉板１４を手動操作により閉状態に保持できる上記保持機構１６を備えた構成であれば、外気温度に応じた自動的な排熱を実行しないモード選択も可能となる。
【００２９】
図５は換気機能を備えたシャッター雨戸５を示した斜視図である。このシャッター雨戸５は、雨戸板（スラット）５１と、上記雨戸板５１を支持する枠部（シャッター枠）５２と、上記枠部５２に形成され、上記雨戸板５１の裏側と窓２の表側との間の空間に連通する開口部５ａと、上記開口部５ａを開閉する開閉板５４と、上記開閉板５４を開閉動作する操作部５５とを備える。上記開閉板５４および操作部５５は、上記開閉板１４および操作部１５と同様の構成を有している。
【００３０】
上記開口部５ａは上記枠部５２の側面に設けられている。また、上記開口部５ａは上記枠部５２の下側位置および上側位置の２カ所に設けられている。
【００３１】
このようなシャッター雨戸５においても、上記開閉板５４が開動作して上記開口部５ａが開けられると、上記雨戸板５１の裏側と窓２の表側との間の空間内の高温の空気が上記開口部５ａから排出される。そして、上記開閉板５４が閉動作して上記開口部５ａが閉じられると、雨戸の密閉性が確保される。
【００３２】
図６は換気機能を備えた横引き式のシャッター雨戸６を示した斜視図である。このシャッター雨戸６は、雨戸板（スラット）６１と、上記雨戸板６１を支持する枠部（シャッター枠）６２と、上記枠部６２に形成され、上記雨戸板６１の裏側と窓２の表側との間の空間に連通する開口部６ａと、上記開口部６ａを開閉する開閉板６４と、上記開閉板６４を開閉動作する操作部６５とを備える。上記開閉板６４および操作部６５は、上記開閉板１４および操作部１５と同様の構成を有している。
【００３３】
上記開口部６ａは上記枠部６２の側面に設けられている。また、上記開口部６ａは上記枠部６２の下側位置および上側位置の２カ所に設けられている。
【００３４】
このようなシャッター雨戸６においても、上記開閉板６４が開動作して上記開口部６ａが開けられると、上記雨戸板６１の裏側と窓２の表側との間の空間内の高温の空気が上記開口部６ａから排出される。そして、上記開閉板６４が閉動作して上記開口部６ａが閉じられると、雨戸の密閉性が確保される。
【００３５】
なお、シャッター雨戸は一般に密閉性や断熱性が低く、折れ雨戸に比べて夏期の熱こもり対策の重要度はあまり高くないといえるが、今後、シャッター雨戸の密閉性が高くなってきた場合には、上記した換気機能はとても有用になると考えられる。
【００３６】
図７は換気機能を備えた折れ雨戸における１つの雨戸７を示した斜視図である。この雨戸７は、雨戸板７１と、上記雨戸板７１を支持する枠部７２と、上記枠部７２に形成され、上記雨戸板７１の裏側と窓２の表側との間の空間に連通する開口部７ａと、上記開口部７ａを開閉する開閉板７４と、上記開閉板７４を開閉動作する操作部７５とを備える。上記開口部７ａと開閉板７４と操作部７５は上記枠部７２の側面に設けられている。また、上記開口部７ａと開閉板７４と操作部７５は上記枠部７２の下側位置および上側位置の２カ所に設けられている。
【００３７】
上記雨戸７は温度に応じた自動換気を行うものではなく、人の手動操作で換気が行われる。具体的には、上記開口部７ａを開閉する開閉板７４は上記枠部７２の裏面において上下方向にスライド可能に設けられている。上記開口部７ａは所定ピッチで縦並びに形成された複数の小開口からなり、上記開閉板７４も同じピッチで縦並びに形成された複数の小開口を有する。また、上記開閉板７４の表面に上記操作部７５が固定されており、この操作部７５は上記枠部７２に形成された長穴を通して外側に出されている。上記開閉板７４の位置保持には、例えば、ばねによって上記開閉板７４を上記枠部７２の裏面に押圧する構造を採用できる。
【００３８】
上記雨戸７であれば、上記操作部７５を操作して上記開閉板７４をスライドさせ、この開閉板７４の小開口の位置を上記開口部７ａの小開口位置に合わせることにより開状態とすることができる一方、上記開閉板７４の非開口部分を上記開口部７ａの小開口位置に合わせることにより閉状態とすることができる。このように、手動操作で上記開閉板７４を開閉する構成であれば、使用者の意図で排熱と密閉を自由に選択することができる。
【００３９】
図８に示した雨戸７においては、１枚の開閉板７６によって下側位置および上側位置の２カ所の開口部７ａに対する開閉が同時に行えるようにしている。すなわち、上記１枚の開閉板７６は下側位置の開口部７ａから上側位置の開口部７ａに至る長さを有しており、その下側位置および上側位置の両方において所定ピッチで縦並びに複数の小開口を有している。なお、図８に示した例では、上記操作部７５を下側位置に設けたが、上側位置に設けることとしてもよいし、下側位置と上側位置の両方に設けてもよい。
【００４０】
なお、以上説明した実施形態では、開口部等を枠部の側面に設けたが、側面に限らず、枠部の前面や上下面に設けることもできる。
【００４１】
また、外気温度で自動的に開閉板による開口部の開閉が行われる構成例では上記開閉板が回動する構造を例示したが、開閉板がスライドする構造を採用することもできる。一方、開閉板を手動操作して開口部の開閉を行う構成例においては上記開閉板がスライドする構造を例示したが、開閉板が回動する構造を採用してもよい。また、上記の例では、折れ雨戸における端側の雨戸の枠部自体に換気機能を備えたが、これに限らず、上記雨戸を支持する別の枠部を雨戸板の周囲側に位置するように家屋の外壁に固定配置しておき、この固定配置される枠部において開閉板および開口部による換気機能を備えるようにしてもよい。
【符号の説明】
【００４２】
１      雨戸
１ａ    開口部
１１    雨戸板
１２    枠部
１３    当たり部
１４    開閉板
１５    操作部
１５ａ  バイアスばね
１５ｂ  温度伸縮ばね（アクチュエータ）
１６    保持機構
５      シャッター雨戸
５ａ    開口部
５１    雨戸板
５２    枠部
５４    開閉板
５５    操作部
６      シャッター雨戸
６ａ    開口部
６１    雨戸板
６２    枠部
６４    開閉板
６５    操作部
７      雨戸
７ａ    開口部
７１    雨戸板
７２    枠部
７４    開閉板
７５    操作部
【図１】
2013163949.tif 000003
【図２】
2013163949.tif 000004
【図３】
2013163949.tif 000005
【図４】
2013163949.tif 000006
【図５】
2013163949.tif 000007
【図６】
2013163949.tif 000008
【図７】
2013163949.tif 000009
【図８】
2013163949.tif 000010